(57)【要約】【課題】  従来は、録画開始予定時間から番組関連情報中の番組開始識別コードや所望の放送番組のＩＤが受信されるのを常に記録待機状態で待つため、その間機器の操作は制約される。【解決手段】ＣＰＵ１８は、予約録画する番組が、それ以前に放送されるプロ野球放送により放送開始時間が繰り下がる可能性がある番組であることを、録画予約リストとＥＰＧの文字列の記述より判断すると、予約録画する番組を、ＥＰＧの最大延長時間を示す文字列の記述から取得した最大延長時間分長く記録する。また、この判断は、放送終了情報がある場合はこの放送終了情報が付与された番組までを行なう。【選択図】            図１
2009124724.tif 000002
【特許請求の範囲】
【請求項１】
テレビジョン放送の放送番組の映像信号を記録する記録手段と、
電子番組表を入手して表示する入手・表示手段と、
所望チャンネルの放送番組の予約録画を設定する予約録画設定手段と、
前記入手・表示手段により入手された前記電子番組表の文字列の記述に基づき、前記予約録画設定手段により予約録画が設定された放送番組が、放送時間の延長の可能性のある番組、又は該延長可能性のある番組以降の同じチャンネルの番組であるか否か判別する番組判別手段と、
前記予約録画が設定された放送番組が、前記番組判別手段により前記放送時間の延長の可能性のある番組、又は該延長可能性のある番組以降の同じチャンネルの番組であると判別されたときには、前記電子番組表の最大延長時間を示す文字列の記述から前記放送時間の延長の可能性のある番組の放送最大延長時間を取得する放送最大延長時間取得手段と、
放送時間の延長の可能性のある番組、及び前記放送時間の延長の可能性のある番組以降の同じチャンネルの予約録画番組の映像信号を、前記放送最大延長時間取得手段により取得した前記放送最大延長時間分だけ長く、前記記録手段により記録させるように該記録手段を制御する制御手段と
を有し、
前記番組判別手段は、更に、
前記入手・表示手段により入手された前記電子番組表に、放送終了情報があるときは、この放送終了情報が付与された番組まで、放送終了情報がないときは、放送中止の番組ブランクを見つけるまでの番組まで、放送終了情報も放送中止の番組ブランクも見つからないときは、所定の時間の番組まで、を対象にして判別することを特徴とする映像信号記録装置。
【請求項２】
映像信号記録装置で用いられる映像信号記録方法であって、
テレビジョン放送の放送番組の映像信号を記録する記録ステップと、
電子番組表を入手して表示する入手・表示ステップと、
所望チャンネルの放送番組の予約録画を設定する予約録画設定ステップと、
前記入手・表示ステップにより入手された前記電子番組表の文字列の記述に基づき、前記予約録画設定ステップにより予約録画が設定された放送番組が、放送時間の延長の可能性のある番組、又は該延長可能性のある番組以降の同じチャンネルの番組であるか否か判別する番組判別ステップと、
前記予約録画が設定された放送番組が、前記番組判別ステップにより前記放送時間の延長の可能性のある番組、又は該延長可能性のある番組以降の同じチャンネルの番組であると判別されたときには、前記電子番組表の最大延長時間を示す文字列の記述から前記放送時間の延長の可能性のある番組の放送最大延長時間を取得する放送最大延長時間取得ステップと、
放送時間の延長の可能性のある番組、及び前記放送時間の延長の可能性のある番組以降の同じチャンネルの予約録画番組の映像信号を、前記放送最大延長時間取得ステップにより取得した前記放送最大延長時間分だけ長く、前記記録ステップにより記録させるように該記録ステップを制御する制御ステップと
を含み、
前記番組判別ステップは、更に、
前記入手・表示ステップにより入手された前記電子番組表に、放送終了情報があるときは、この放送終了情報が付与された番組まで、放送終了情報がないときは、放送中止の番組ブランクを見つけるまでの番組まで、放送終了情報も放送中止の番組ブランクも見つからないときは、所定の時間の番組まで、を対象にして判別することを特徴とする映像信号記録方法。
【発明の詳細な説明】
【技術分野】
【０００１】
本発明は映像信号記録装置、及び映像信号記録方法に係り、特に電子番組表（ＥＰＧ）を入手して表示する機能のある映像信号記録装置、及び映像信号記録方法に関する。
【背景技術】
【０００２】
テレビジョン放送の番組をタイマ予約できる機能を備えた映像信号記録装置では、録画しようとする所望のテレビジョン放送の番組の開始時刻、チャンネル及び終了時刻などの情報を使用者がタイマ予約し、予約した開始時刻が来ると、自動的に予約したチャンネルのテレビジョン放送番組の映像信号の記録を、予約した終了時刻まで行う。
【０００３】
しかし、予約録画しようとした所望のテレビジョン放送番組が、サッカーや野球などのスポーツ中継番組である場合、最大延長時間を限度に放送時間が延長されることがあり、予約した番組の放送終了時刻を越えることがある。また、予約録画しようとした所望のテレビジョン放送番組が、試合時間が延長されたスポーツ中継番組以降の放送番組の場合は、予約した放送開始時刻が延長された時間に対応した時間分繰り下がることとなる。このような場合は、所望のテレビジョン放送番組の映像信号が番組開始時刻から終了時刻まで、過不足無く正確に記録媒体に記録できない。
【０００４】
そこで、番組開始／終了時刻識別コード、放送開始時刻と実際に放送が開始される時刻との時差データからなる番組関連情報が、番組情報に多重された放送信号を受信して、番組関連情報を分離して解析し、その解析結果に基づいてテレビジョン放送の放送番組の映像信号を記録媒体に記録することにより、予約録画しようとする所望の放送番組の終了時刻や開始時刻が変更になった場合でも、所望の番組情報を番組開始時刻から終了時刻まで記録媒体に記録するようにした映像信号記録装置が従来より知られている（例えば、特開平１０−１１８３４号公報
）。
【０００５】
また、ＢＳデジタル放送などでは、番組毎に個別の識別情報（ＩＤ）が付加されて放送されるため、予約録画しようとする所望の放送番組の終了時刻や開始時刻が変更になった場合でも、上記のＩＤを検出してから記録を開始するようにすることにより、所望の番組情報を番組開始時刻から終了時刻まで記録媒体に記録することが可能である。
【発明の開示】
【発明が解決しようとする課題】
【０００６】
しかるに、上記の公報記載の従来の映像信号記録装置や、ＢＳデジタル放送の番組ＩＤを検出して所望の放送番組の映像信号を記録する従来の映像信号記録装置では、録画開始予定時間から番組関連情報中の番組開始識別コードや所望の放送番組のＩＤが受信されるのを常に記録待機状態で待つこととなり、その間機器の操作は制約され、記録は勿論チャンネルの切り換えすら行うことができないという問題がある。
【０００７】
また、番組編成が反映されたＥＰＧデータを取得して録画プログラムを変更するなどの方法も提案されているが、番組編成が決定するまでの延長中の扱いが不明であり、現実的でない。また、従来は、専用のサービスが必要であり、最も必要とされる地上波ではサポートされていない。
【０００８】
本発明は以上の点に鑑みなされたもので、専用のサービスを必要とすることなく、予約録画しようとする所望の放送番組の終了時刻や開始時刻が変更になった場合でも、略正確に番組開始時点から終了時点まで放送番組の映像信号を記録媒体に記録可能な映像信号記録装置、及び映像信号記録方法を提供することを目的とする。
【課題を解決するための手段】
【０００９】
上記目的を達成するため、本発明は、以下の装置を提供するものである。
（１）テレビジョン放送の放送番組の映像信号を記録する記録手段と、
電子番組表を入手して表示する入手・表示手段と、
所望チャンネルの放送番組の予約録画を設定する予約録画設定手段と、
入手・表示手段により入手された電子番組表の文字列の記述に基づき、予約録画設定手段により予約録画が設定された放送番組が、放送時間の延長の可能性のある番組、又は延長可能性のある番組以降の同じチャンネルの番組であるか否か判別する番組判別手段と、
予約録画が設定された放送番組が、番組判別手段により放送時間の延長の可能性のある番組、又は該延長可能性のある番組以降の同じチャンネルの番組であると判別されたときには、電子番組表の最大延長時間を示す文字列の記述から放送時間の延長の可能性のある番組の放送最大延長時間を取得する放送最大延長時間取得手段と、
放送時間の延長の可能性のある番組、及び放送時間の延長の可能性のある番組以降の同じチャンネルの予約録画番組の映像信号を、放送最大延長時間取得手段により取得した放送最大延長時間分だけ長く、記録手段により記録させるように記録手段を制御する制御手段と
を有し、
番組判別手段は、更に、
入手・表示手段により入手された電子番組表に、放送終了情報があるときは、この放送終了情報が付与された番組まで、放送終了情報がないときは、放送中止の番組ブランクを見つけるまでの番組まで、放送終了情報も放送中止の番組ブランクも見つからないときは、所定の時間の番組まで、を対象にして判別することを特徴とする映像信号記録装置。
（２）映像信号記録装置で用いられる映像信号記録方法であって、
テレビジョン放送の放送番組の映像信号を記録する記録ステップと、
電子番組表を入手して表示する入手・表示ステップと、
所望チャンネルの放送番組の予約録画を設定する予約録画設定ステップと、
入手・表示ステップにより入手された電子番組表の文字列の記述に基づき、予約録画設定ステップにより予約録画が設定された放送番組が、放送時間の延長の可能性のある番組、又は延長可能性のある番組以降の同じチャンネルの番組であるか否か判別する番組判別ステップと、
予約録画が設定された放送番組が、番組判別ステップにより放送時間の延長の可能性のある番組、又は該延長可能性のある番組以降の同じチャンネルの番組であると判別されたときには、電子番組表の最大延長時間を示す文字列の記述から放送時間の延長の可能性のある番組の放送最大延長時間を取得する放送最大延長時間取得ステップと、
放送時間の延長の可能性のある番組、及び放送時間の延長の可能性のある番組以降の同じチャンネルの予約録画番組の映像信号を、放送最大延長時間取得ステップにより取得した放送最大延長時間分だけ長く、記録ステップにより記録させるように記録ステップを制御する制御ステップと
を含み、
番組判別ステップは、更に、
入手・表示ステップにより入手された電子番組表に、放送終了情報があるときは、この放送終了情報が付与された番組まで、放送終了情報がないときは、放送中止の番組ブランクを見つけるまでの番組まで、放送終了情報も放送中止の番組ブランクも見つからないときは、所定の時間の番組まで、を対象にして判別することを特徴とする映像信号記録方法。
【発明の効果】
【００１０】
本発明によれば、予約録画が設定された放送番組が、放送時間の延長の可能性のある番組以降の同じチャンネルの番組であると判別されたときには、電子番組表から取得した放送時間の延長の可能性のある番組の放送最大延長時間分だけ長く記録することにより、専用のサービスを提供されなくても、時間の延長の可能性のある番組の放送時間が延長されても、予約設定された放送番組の映像信号を最後まで記録できる。
【発明を実施するための最良の形態】
【００１１】
次に、本発明の一実施の形態について、図面と共に説明する。図１は本発明になる映像信号記録装置の一実施の形態のブロック図を示す。同図において、映像信号記録再生装置１０は、所望のチャンネルの放送信号を受信して受信信号を得るチューナ１１と、受信信号をＭＰＥＧ等の符号化方式で符号化するエンコーダ（ＥＮＣ）１２と、ＨＤＤやＤＶＤ−ＲＷなどのディジタルビデオレコーダ（ＤＶＲ）１３と、ＭＰＥＧ等の符号化方式で符号化された符号化データを復号化するデコーダ（ＤＥＣ）１４と、放送波の垂直帰線消去期間（ＶＢＩ）に挿入されたＥＰＧの取得および解析を行うＥＰＧアナライザ１５と、オンスクリーンディスプレイ（ＯＳＤ）１６と、インターネット等のネットワークに接続される延長検出器１７と、中央処理装置（ＣＰＵ）１８とから構成されており、テレビモニタ２０に接続されている。ＣＰＵ１８は、映像信号記録再生装置１０の各部を統括的に制御する。
【００１２】
次に、以上のように構成された映像信号記録再生装置１０の動作について説明する。はじめにＤＶＲ１３の状態を説明する。ＣＰＵ１８の制御の下に記録時は選局された所望チャンネルの放送波信号がチューナ１１により選択受信され、ベースバンド帯の受信信号に変換されてエンコーダ１２に供給され、ここでＭＰＥＧ等の動画像符号化方式で所望チャンネルの放送番組のディジタルビデオ信号にエンコードされた後ＤＶＲ１３に書き込まれる。
【００１３】
再生時には、ＣＰＵ１８の制御の下にＤＶＲ１３より読み出されたディジタルビデオ信号は、デコーダ１４により所望チャンネルの放送番組のビデオ信号に戻されて、ＯＳＤ１６で動作状態などを付加させた後、テレビモニタ２０に出力され視聴される。また、ＥＰＧアナライザ１５は、チューナ１１から受信放送波のＶＢＩに挿入されているＥＰＧデータを取得し、そのデータ内容を解析し、表示形式にしてＯＳＤ１６で表示させる。使用者はリモコン操作により任意の放送番組を選択し、録画予約の設定、また解除を画面上で行う。なお、ＥＰＧデータにはスポーツ番組の最大延長時間を表す情報があるものとする。現在、ＥＰＧデータを放送波のＶＢＩに多重して送信するサービスは行われており、例えば、一日に数時間おきに５回程度、一回１０分程度で送信されている。
【００１４】
延長時間検出器１７はインターネットを介してＷｅｂサイトに接続し、放送番組の延長時間を検出する。この延長時間検出器１７がアクセスするＷｅｂサイトは、スポーツ中継のスコアボード表示を生中継で行っているサイトである。現在、日本やアメリカでは主要なスポーツで行われているサービスである。
【００１５】
次に、スポーツ放送の一般的な例として野球放送の延長がそれ以降の番組にどのように影響するかを説明する。図２に示すような番組編成だったとする。同図に示す番組編成において、１９時００分から２０時５４分までのプロ野球放送中の「最大延長０９２４」の表示は、最大でそのプロ野球放送が午後９時２４分まで延長されること、すなわち最大延長時間が３０分であることを意味する。従って、プロ野球放送が最大延長時間まで延長された場合は、その後の同じチャンネルのＣＭや２０時５４分からのニュースを挟み、本来の２１時００分から放送開始されるドラマＡの番組は２１時３０分から開始されるというように、ドラマＡ以降の番組は全て開始時刻がそれぞれ３０分ずつ繰り下げて放送される事を意味する。
【００１６】
しかし、本来の放送終了時間は過ぎたものの最大延長時間前に試合が終了した場合、例えば２１時１０分に試合終了の場合は、その試合のダイジェスト、ヒーローインタビュー、などで時間を調節し、ＣＭを挟み、区切りの良い５分単位の繰り下げとなるように２１時１９分からニュース、２１時２５分からドラマＡがそれぞれ放送開始されるように番組が再編成される。
【００１７】
以上のことを前提として、次に本実施の形態の動作を説明する。まず、ＣＰＵ１８は、録画予約リストとＥＰＧよりスポーツ放送時間の延長に影響される番組の有無を判断する。スポーツ放送時間の延長に影響される可能性のある番組がある場合、以下に説明する延長判断を実行して放送番組の映像信号の録画を行う。
一例として、図２に示した番組編成のうちのドラマＡを予約録画する場合について説明する。
【００１８】
まず、ＣＰＵ１８は、予約録画するドラマＡが１９時００分放送開始のプロ野球放送により放送開始時間が繰り下がる可能性がある番組であることを、録画予約リストとＥＰＧより判断すると、延長検出器１７をインターネットを介してプロ野球の実況データを配信している所定のＷｅｂサイトに接続させて動作開始させ、実況データから上記のプロ野球放送の延長の有無を検出させる。上記の所定のＷｅｂサイトは、前述したようにスポーツ中継のスコアボード表示を生中継で行っている、現在既に知られているサイトであり、例えば、図３に示すようなスコアボード表示をＯＳＤ１６等に表示させることが可能な実況データを配信する。
【００１９】
延長検出器１７は、ＥＰＧアナライザ１５からのＥＰＧデータから上記のプロ野球放送の最大延長時間を予め取得しており、上記のプロ野球放送の本来の放送終了時刻２０時５４分になったら、Ｗｅｂサイトからの実況データを定期的に入手し、進行状況の判断を開始する。すなわち、放送延長が無い場合のプロ野球放送終了時刻２０時５４分に達した時に、上記のＷｅｂサイトから実況データを入手して、１９時００分から放送開始されたプロ野球の試合が終了している場合は、その旨の検出結果をＣＰＵ１８に通知する。これにより、ＣＰＵ１８は本来の放送開始時刻である２１時００分からＤＶＲ１３にドラマＡのディジタルビデオ信号の録画を開始させる。
【００２０】
一方、延長検出器１７は、プロ野球放送終了時刻２０時５４分に達した時に、上記のＷｅｂサイトから実況データを入手して、放送しているプロ野球の試合が８回裏に達していない場合は、それ以降５分毎にＷｅｂサイトを再アクセスして実況データを入手し、進行状況を逐次判断する。そして、延長検出器１７は、放送しているプロ野球の試合が９回以降になった時から試合終了を確認するか最大延長の時間になるまで１分毎に実況データを取得する。
【００２１】
ＣＰＵ１８は、延長検出器１７からの試合状況の検出結果に基づき、ＤＶＲ１３の録画開始及び録画終了を制御する。すなわち、ＣＰＵ１８は、試合終了の前に最大延長時間になった場合や、最大延長時間経過前に試合が終了した場合などの状況に応じて、先に説明したように番組が再編されると推測してそれ以降のＥＰＧに反映し、初めに確認された録画予約番組の開始および終了時刻を変更する。
【００２２】
例えば、プロ野球放送が最大延長時間まで延長された場合は、ドラマＡの番組は２１時３０分から開始され、また、本来の放送終了時間は過ぎたものの最大延長時間前の、例えば２１時１０分に試合終了の場合は、２１時２５分からドラマＡの番組が開始されると判断して、ＣＰＵ１８は、判断した番組開始時刻からＤＶＲ１３によるコンコーダ１２からのディジタルビデオ信号の録画を開始させる。
【００２３】
また、ＣＰＵ１８は、延長検出器１７から最大延長時間前に試合が終わったことを示す検出結果を受けたときには、時間調整分のオフセットが予測とずれた場合を考慮して、ドラマＡの終了時間を５分長く録画するようにするなどの対策をすることでより安全な録画が可能となる。また、試合進行の判断については、試合の８回裏以前ならば５分毎に実況データを入手して判断し、９回以降は１分毎に実況データのチェックを行うというように、常に監視している必要は無く、このようなインテリジェントな判断を行うことにより、クライアントである機器および情報提供元のサーバー共に負担が少ないというメリットがある。
【００２４】
このように、本実施の形態によれば、延長検出器１７がＷｅｂサイトから取得した既存のサービスの実況データに基づき、ほぼリアルタイムで試合状況を判断し、試合終了の前に最大延長時間になった場合や、最大延長時間前に試合が終了した場合などの状況に応じて、初めに確認された録画予約番組の開始および終了時刻を、番組再編を推測した時刻にそれぞれ変更して、録画開始及び録画終了を行うようにしたため、従来のようにドラマＡの放送開始時刻２１時００分からプロ野球放送時間延長によるドラマＡの実際の放送開始の繰り下げ時刻まで録画ポーズ状態で待っている必要がない。従って、従来録画ポーズ状態となっている時間でも、本実施の形態では機器の操作が拘束されることがない。
【００２５】
仮に、ドラマＡの本来の放送開始時刻を過ぎて映像信号記録再生装置１０の録画あるいは再生動作をしていても、ドラマＡの繰り下げ放送開始時刻前に例えばＯＳＤ１６に予約録画を何分後に開始するなどのメッセージを表示することで、支障なくドラマＡの予約録画が可能である。
【００２６】
また、デジタル放送番組の予約録画の場合は、番組にＩＤが付加され放送されるようになっているので、上記のように試合終了の前に最大延長時間になった場合や、最大延長時間前に試合が終了した場合などの状況に応じて、初めに確認された録画予約番組の開始および終了時刻を、番組再編を推測した時刻にそれぞれ変更して、その変更した番組開始推測時刻よりもやや前の時刻から上記の予約番組のＩＤを受信したかどうか検出動作を開始し、ＩＤ検出した時点から録画を開始することで、正確な予約録画ができる。
【００２７】
この実施の形態では、延長時間検出器１７をインターネットを介してプロ野球の実況データを配信している所定のＷｅｂサイトに接続させて動作開始させ、実況データから上記のプロ野球放送の延長の有無を検出させている。上記の所定のＷｅｂサイトは、前述したように、スポーツ中継のスコアボード表示を生中継で行っている、現在既に知られているサイトである。
【００２８】
実況データの取得は、このような方法に限られない。装置が外部からの予約メールを介して、番組予約を受け付ける機能を有している場合には、この予約メールシステムを流用して実況データを取得してもよい。装置は予約メールが届いているか、５分間隔でメールサーバのメールボックスを確認している。そこで、上記の実施の形態のように、直接Ｗｅｂサイトに接続させることなく、メールを介して実況データを取得してもよい。
【００２９】
すなわち、Ｗｅｂサイトからメールサーバに実況データを提供させ、この実況データを契約者のメールボックスにメールデータとして転送送信する。装置は予約メールを確認する時に、この実況データをメールとして取得して、延長検出器１７が延長を検出する。このように構成すると、Ｗｅｂサイトにアクセスが集中して実況データを取りこぼしたり、Ｗｅｂサイトのサーバに過大な負荷がかかることがない。
【００３０】
次に、本発明の他の実施の形態について説明する。図４は本発明の他の実施の形態のブロック図を示す。同図中、図１と同一構成部分には同一符号を付し、その説明を省略する。この実施の形態は、本発明者が先に特願２００１−２２７３２４号にて提案した番組信号記録装置の音声認識手段を、上記の実施の形態に付加した構成である。ここで、本発明者が提案した上記の番組信号記録装置は、番組本編部分とコマーシャル部分とからなる番組信号における番組本編部分のみを記録する番組信号記録装置において、受信した番組信号から現在視聴している番組の音声モードを判別し、その判別音声モードと、別途取得した番組から検出したその番組の音声モードとを比較し、両者が一致したときには記録動作を行い、不一致のときには記録動作を停止するようにした構成である。
【００３１】
そこで、図４に示す本実施の形態の映像信号記録再生装置３０では、チューナ１１で選択受信した所望チャンネルのテレビ音声多重放送信号中に多重されている２チャンネルの音声信号とその音声モード識別用制御チャンネル信号のうち、制御チャンネル信号に基づき、２チャンネルの音声信号がステレオ音声か、モノラル音声か、２ヶ国語音声かの音声モードを、音声モード判別部３１で判別する。
【００３２】
音声モード比較部３２は、ＥＰＧアナライザ１５で解析したＥＰＧデータから予約録画しようとする所望チャンネルの放送番組の第１の音声モードを取得し、更に、その直前のスポーツ放送番組の第２の音声モードを取得すると共に、それら取得した第１及び第２の音声モードが、音声モード判別部３１からの視聴中の放送番組の第３の音声モードと一致するか否かの比較を行い、その比較結果をＣＰＵ３３に通知する。ここで、音声モード比較部３２は、第１の音声モードと第２の音声モードが異なり、かつ、第３の音声モードと第１の音声モードとが一致した時に、一致の比較結果を出力する。
【００３３】
ＣＰＵ３３は、延長検出器１７がＷｅｂサイトから取得した既存のサービスの実況データに基づき、試合終了の前に最大延長時間になった場合や、最大延長時間前に試合が終了した場合などの状況に応じて、初めに確認された録画予約番組の開始および終了時刻を、番組再編を推測した時刻にそれぞれ変更し、更に音声モード比較部３２からの比較結果を勘案した時刻に補正して、ＤＶＲ１３の録画開始動作及び録画終了動作を制御する。
【００３４】
従って、本実施の形態によれば、例えば図２のドラマＡを予約録画しようとした場合、ドラマＡの音声モード及びニュース番組の音声モードとが異なる場合、ＣＰＵ３３は番組再編を推測して得られたドラマＡの放送開始時刻付近で、かつ、ドラマＡの音声モードと同じ音声モードが検出された時からＤＶＲ１３の録画を開始することにより、前記の実施の形態よりも、より精度良くドラマＡの最初から録画をすることができる。
【００３５】
なお、本発明は以上の実施の形態に限定されるものではなく、例えば、記録再生手段はＤＶＲ１３以外のＶＨＳ（登録商標）などのアナログＶＣＲでも同様に適用できることは勿論である。また、ＥＰＧデータの取得は、放送波のＶＢＩに限らず、インターネットやデジタル放送のデータ放送などから入手するなどの方法も可能である。
【００３６】
また、上記の実施の形態の説明では、スポーツ放送以降の放送番組の録画予約について説明したが、スポーツ放送自体を録画予約しているならば、延長検出器１７の検出結果に基づき、放送延長された分だけ自動で延長して録画することができる。勿論、放送開始例えば１分前に延長検出器１７がＷｅｂサイトにアクセスして、試合が中止ならば録画プログラムをキャンセルすることも可能である。
【００３７】
更には、スポーツ番組が中止の場合に放送される番組の映像信号を録画したい場合、中止を判断した場合にのみ録画するなどの選択も可能となる。これは使用者が設定できるのは勿論だが、公知のパーソナル・ビデオ・レコーダ（ＰＶＲ）の様にお好み録画機能（エージェント機能）がある機器の場合は自動で実行させることができる。
【００３８】
また、野球放送の放送延長により本来重なっていなかった裏番組（野球放送番組のチャンネルとは異なるチャンネルの放送番組）の録画予約と、繰り下げられた番組の録画予約とが重なった場合には、録画時にＯＳＤ１６にメッセージを表示するなどして、どちらの録画予約を優先するかを使用者に選択させるようにすればよい。逆に、本来重なっていた裏番組の録画を野球放送の放送延長により重なりが無くなった分を記録することもできる。例えば、ドラマＡの本来の放送開始時刻２１時００分と同じ放送開始時刻で３０分の放送時間の裏番組が、野球放送の３０分の延長により、ドラマＡとの重なりがなくなるので、録画が可能となる。
【００３９】
ＣＰＵ１８は、裏番組の予約録画が有るかどうか判定し、有るときには、延長検出器１７からの検出結果と、裏番組の放送開始時刻及び放送終了時刻などに基づき、上記の録画優先選択表示や裏番組録画動作を可能とする。
【００４０】
また、上記の実施の形態では、予約録画設定されたチャンネルがスポーツ番組又はそれと同じチャンネルのスポーツ番組以降の番組であるときに、当該スポーツ番組の放送最大延長時間をＥＰＧデータから取得するようにしたが、予約録画の有無に関係なくＥＰＧデータからまず、すべての延長の可能性のあるスポーツ番組の放送最大延長時間を取得しておいてもよい。
【００４１】
また、更に、本発明は、ＥＰＧデータがあれば、アナログ放送及びデジタル放送共に適用可能である。更に、スポーツ放送の最大延長時間を取得して、そのチャンネルのそれ以降の番組を対象とした予約録画は、自動的に最大延長時間分長く記録するようにしてもよい。この場合、繰り下げには２つのパターンＡ、Ｂがある。
【００４２】
パターンＡでは図２に示すＥＰＧデータのプロ野球の番組表に示す例のように、「（最大延長０９２４まで、以降の番組繰り下げ）」と記述されているとき、すなわち＜最大延長と繰り下げ＞が記述されているときは、通常終了時刻２０５４と最大延長終了時刻０９２４との差分である３０分を放送最大遅延時間分とする。現状の番組表では、最大０９２４までのように１２時間表記で記述されているが、これは番組の通常終了時刻を参照して２１２４と解釈される。
【００４３】
パターンＢでは日本シリーズやワールドカップなどの重要な番組のように、単に「（以降の番組繰り下げ）」と記述されているとき、すなわち、最大延長の記述がなく、＜繰り下げ＞とのみ記述されているときは、所定の規定時間、例えば１時間を放送最大遅延時間分とする。
【００４４】
ところで、放送時間の延長の可能性のある番組と、該番組以降の同じチャンネルの番組とは、当日内の番組に限られる。ここで、当日内とは、日時が変更する午前０時ではなく、翌日にまたがった、最終番組の終了までである。この確認として以下のａ〜ｃの場合がある。
【００４５】
ａ.電子番組表に＜放送終了情報＞があるときは、この放送終了情報が付与された番組までとする。ただし、現状のＥＰＧデータにはこの放送終了情報は付与されていない。
【００４６】
ｂ．放送終了情報が無い場合は、＜放送中止の番組ブランク＞を見つけるまでの番組までとする。或る番組の終了時刻と次の番組の開始時刻との間に時間が空いていれば、このブランクで翌日の番組になるとして、ブランクの前までを当日内の番組とする。
【００４７】
ｃ．放送終了情報も放送中止の番組ブランクも見つからないときは、＜所定の時間の番組＞までとする。例えば、４時３０分以降に始まり５時より後に終了する番組を、翌日の最初の番組とみなして、この番組の前までを当日内の最後の番組とする。
【図面の簡単な説明】
【００４８】
【図１】本発明の一実施の形態を示すブロック図である。
【図２】番組編成の一例を示す図である。
【図３】本発明の要部の延長検出器が取得する実況データに基づく、スコアボード表示の一例である。
【図４】本発明の他の実施の形態を示すブロック図である。
【符号の説明】
【００４９】
１０、３０  映像信号記録再生装置
１１  チューナ
１２  エンコーダ（ＥＮＣ）
１３  ディジタルビデオレコーダ（ＤＶＲ）
１４  デコーダ（ＤＥＣ）
１５  ＥＰＧアナライザ
１６  オンスクリーンディスプレイ（ＯＳＤ）
１７  延長検出器
１８、３３  中央処理装置（ＣＰＵ）
２０  テレビモニタ
３１  音声モード判別部
３２  音声モード比較部
【図１】
2009124724.tif 000003
【図２】
2009124724.tif 000004
【図３】
2009124724.tif 000005
【図４】
2009124724.tif 000006